(57)【要約】【課題】防水性及び組立て性に優れかつ耐熱性にも優れる点灯装置を提供することにある。【解決手段】相対向する第１の壁１２ａ、第２の壁１２ｂを有した金属製ケース筒１２を備える防水構造の筒状収容ケース１１と、ランプを点灯させる点灯ユニット２１と、このユニット２１を収容保持して収容ケース１１に収容された金属製ユニットホルダ３１とを具備する。ユニットホルダ３１は、ベース板部３２及びこのベース板部から折り曲げられた一対の側板部３３を有している。このホルダ３１に収容保持された点灯ユニット２１とベース板部３２とを熱伝導可能に接触させる。第２の壁１２ｂの内面にベース板部３２を接触させるとともに、第１の壁１２ａの内面に両側板部３３の先端縁３３ｂを接触させて、ユニットホルダ３１を収容ケース１１に収容し、ベース板部３２と収容ケース１１の第２の壁１２ｂとを熱伝導可能に接触させる。【選択図】    図３
2005004976.tif 000002
【特許請求の範囲】
【請求項１】
相対向する第１及び第２の壁を有した金属製ケース筒を備える防水構造の筒状収容ケースと、
ランプを点灯させる点灯ユニットと、
ベース板部及びこのベース板部から折り曲げられた一対の側板部を有し、前記点灯ユニットを前記ベース板部に接触させて収容保持し、前記両壁の内の一方の壁の内面に前記ベース板部を接触させるとともに、他方の壁内面に前記両側板部の先端縁を接触させて、前記収容ケースに収容された金属製ユニットホルダと、を具備したことを特徴とする点灯装置。
【請求項２】
前記側板部と前記ケース筒の内面との間にアース金具を挟み込み、このアース金具が前記側板部の外面を引掻く第１爪と、前記ケース筒の内面を引掻く第２爪を有していることを特徴とする請求項１に記載の点灯装置。
【請求項３】
器具本体と、
この器具本体に取付けられたランプソケットと、
このソケットに取外し可能に支持されたランプと、
前記器具本体に取付けられて前記ランプを点灯させる請求項１又は２に記載の点灯装置と、
を具備していることを特徴とする照明器具。
【発明の詳細な説明】
【０００１】
【発明の属する技術分野】本発明は、例えば耐水・耐湿環境で使用するのに好適な照明器具、及びこの器具のランプを点灯させる点灯装置に関する。
【０００２】
【従来の技術】照明器具が備える点灯装置には、インバータ式の点灯回路を有した点灯装置、いわゆる電子安定器が多用されている。多数の電気部品を組み合わせて作られているインバータ式点灯回路は、高湿度環境では、絶縁耐圧不良や地絡などを生じる可能性が考えられる。このため、耐水・耐湿環境でも好適に使用できるように、水密を維持できる防水型の点灯装置が知られている（例えば特許文献１参照。）。
【０００３】
この特許文献１の点灯装置は、水密性のケースに点灯ユニットを内蔵して作られている。点灯ユニットは、平板状の回路基板台上に、回路基板を取付け、更に回路基板上に点灯回路を構成する回路部品を取付けて構成されている。そして、回路基板台は、ケースの底壁及び回路基板台に設けた開孔を利用し、ボルト・ナットを用いてケースの内底面に圧着された状態に取付けられている。
【０００４】
ケースの外側から挿入された前記ボルトはケース及び回路基板台の前記開孔を通っていて、ケースの内部においてナットが螺合されて締結している。そして、ボルト貫通用の開孔が水の浸入経路とならないように、ボルトにはシールド材が塗布されている。
【０００５】
【特許文献１】
特開２０００−２８５７２８号公報（段落００２６−００２９、段落００３２−００３３、段落００３９−００４１、図１）
【０００６】
【発明が解決しようとする課題】特許文献１の点灯装置は、水密性ケース内に点灯ユニットを固定するのに、シールド材が塗布されたボルトを用いているので、そのねじ込みにはかなりの操作力を要し、しかも、ケースの内側でナットを締付ける作業も必要であるので、組立て性が良い。
【０００７】
なお、シールド材が塗布されないボルトを用いる場合、水の浸入を抑制し易い状態にねじ込み可能なセルフタッピングねじを好適に使用できる。しかし、このタッピングねじは、それが通る開孔の内面にねじ溝を刻みながらねじ込まれるので、かなりの操作力を要する。その上、確実な防水性を得るためには、ねじ込まれた部分に未硬化のシリコン樹脂等のシール材を塗布する必要がある。したがって、この場合も組立て性が良くない。
【０００８】
更に、以上のようにシールド材やシール材を用いても、それらの機能不良の可能性を完全には否定できない。このため、点灯ユニットをケースに固定する構成が防水性に影響しないようにすることが望まれている。
【０００９】
又、特許文献１には、防水性ケースに内蔵された点灯ユニットが備える点灯回路の温度上昇を抑制することについては何ら記載されていない。ケースは防水の為に密閉されているので、点灯回路の発熱による温度上昇で、回路部品の温度が上がり過ぎる場合には、点灯装置の性能低下を招く恐れがある。そこで、こうしたことがないように配慮することも要請されている。
【００１０】
本発明が解決しようとする課題は、防水性及び組立て性に優れかつ耐熱性にも優れた点灯装置及びこの装置を備えた照明器具を提供することにある。
【００１１】
【課題を解決するための手段】前記課題を解決するために、請求項１に係る発明の点灯装置は、相対向する第１及び第２の壁を有した金属製ケース筒を備える防水構造の筒状収容ケースと、ランプを点灯させる点灯ユニットと、ベース板部及びこのベース板部から折り曲げられた一対の側板部を有し、前記点灯ユニットを前記ベース板部に接触させて収容保持し、前記両壁の内の一方の壁の内面に前記ベース板部を接触させるとともに、他方の壁内面に前記両側板部の先端縁を接触させて、前記収容ケースに収容された金属製ユニットホルダと、を具備している。
【００１２】
この発明の点灯装置は、その組立てにおいて、ユニットホルダの内側に点灯ユニットを収容保持してから、このホルダをケース筒内に挿入することにより、ケース筒の壁を貫通するねじやボルト等の固定部品を用いることなく、点灯ユニットを収容ケース内に取付けることができる。この取付け状態では、ケース筒内に挿入されたユニットホルダの両側板部が、ケース筒の第１、第２の壁間を突っ張っていて、所定位置に挿入された点灯ユニットを保持している。そして、前記取付け状態では、ベース板部に点灯ユニットが接触されているユニットホルダのベース板部が、両側板部の突っ張りによってケース筒の第１又は第２の壁内面に密接するので、点灯ユニットの熱は、ベース板部を通ってケース筒に伝わり、このケース筒から外部に放出される。
【００１３】
請求項２に係る発明の点灯装置は、前記側板部と前記ケース筒の内面との間にアース金具を挟み込み、このアース金具が前記側板部の外面を引掻く第１爪と、前記ケース筒の内面を引掻く第２爪を有していることを特徴としている。
【００１４】
この発明では、アース金具が、収容ケースのケース筒内面とユニットホルダの側板部外面とを、第１、第２の爪で引掻いてケース筒と側板部との間に挟み込まれているので、このアース金具を介して点灯ユニットをケース筒にアースすることができる。
【００１５】
請求項３に係る発明の照明器具は、器具本体と、この器具本体に取付けられたランプソケットと、このソケットに取外し可能に支持されたランプと、前記器具本体に取付けられて前記ランプを点灯させる請求項１又は２に記載の点灯装置と、を具備していることを特徴としている。
【００１６】
この発明の照明器具が備えた点灯装置は、請求項１又は２に記載の点灯装置であるので、この点灯装置の防水性及び組立て性が優れているとともに耐熱性にも優れている。
【００１７】
【発明の実施の形態】以下、図１〜図７を参照して本発明の一実施形態を説明する。
【００１８】
図１中符号１で示す防水型の照明器具は、天井等の被取付け面に直付けされるものであって、器具本体２と、ランプソケット３と、放電灯例えば直管型の蛍光ランプ４と、点灯装置５とを備えている。器具本体２は、金属製であって直方体形状をなし、その長手方向両端部にランプソケット３がたとえば下向きに突設されている。蛍光ランプ４はランプソケット３に取外し可能に支持されている。ランプ４を点灯させる点灯装置５は器具本体２に内蔵されている。この点灯装置５は防水構造をなし、以下のように構成されている。
【００１９】
図３及び図６等に示すように点灯装置５は、この装置５の外郭をなす収容ケース１１と、点灯ユニット２１と、ユニットホルダ３１と、アース金具４１とを具備している。
【００２０】
収容ケース１１は防水構造をなして筒状に形成されている。詳しくは、図２に示すように収容ケース１１は、ケース筒１２と、ケース端部材である一対のケース端板１３と、シール材である一対のパッキン１４とから形成されている。
【００２１】
図３及び図６に示すようにケース筒１２は、相対向する第１及び第２の互いに平行な壁１２ａ、１２ｂと、これら両壁１２ａ、１２ｂの幅方向両端間を一体に接続して相対向する第３及び第４の壁１２ｃ、１２ｄとを有する角筒状をなし、その長手方向両端は夫々開口されている。このケース筒１２には、金属製、例えばアルミニューム又はその合金を素材とした押出し型材を好適に用いることができるが、その他の鉄系の金属材料であってもよい。しかし、ケース筒１２に前記押出し型材を用いることは、その成形性がよいだけではなく、その高熱伝導性により周囲への放熱性に優れている点で好ましい。ケース筒１２はねじ受けとなる溝条１２ｅを複数有している。これらの溝条１２ｅは、ケース筒１２の押出し成形と同時に形成できる。
【００２２】
ケース端板１３は、金属製又は合成樹脂製であり、ケース筒１２と同材質の金属で作るとよい。パッキン１４には合成ゴムやエラストマ等の軟質なシール材で作られている。両ケース端板１３は、ケース筒１２の端面との間にパッキン１４を挟んだ状態で、このケース端板１３及びパッキン１４を通って溝条１２ｅにねじ込まれるセルフタッピングねじ１５を用いて、ケース筒１２の端面開口を水密に塞いで設けられている。こうして組立てられる収容ケース１１には、例えば第１の壁１２ａに位置して図示しないが電線通孔が開けられていて、この孔に点灯ユニット２１に接続される図示しない電線が、収容ケース１１の水密を保持して通されるようになっている。
【００２３】
点灯ユニット２１は、ユニットホルダ３１とともに内蔵体２２を構成して、収容ケース１１に収容されるものである。図３、図６、及び図７に示す点灯ユニット２１は、ユニットケース２３内に、図示しない各種の電気回路部品を接続してなるインバータ式の点灯回路を取付けて形成された電子安定器である。この点灯回路が実装されたプリント配線基板を図３、図６、及び図７に符号２４で示しているとともに、これらの図中符号２５は電線が接続される端子台を夫々示している。
【００２４】
ユニットケース２３は、断面コ字状のベース２６と、点灯回路を覆ってベース２６に連結されたカバー２７とからなる。ベース２６はその幅方向両端に折り曲げ片２６ａを有して断面コ字状をなしており、これら折り曲げ片２６ａ間の部分は平板状をなしている。ベース２６の長手方向両端部はカバー２７の端面から突出されている（図６及び図７参照）。ベース２６及びカバー２７は、いずれもアルミニューム又はその合金或いはステンレス等の金属により作られている。こうした構成のユニットケース２３と前記点灯回路とはアースのために電気的に接続されている。
【００２５】
図３、図６、及び図７に示すようにユニットホルダ３１は、平板状のベース板部３２と、このベース板部３２の幅方向両端から直角に折り曲げられて相対向する一対の側板部３３とを有して、断面コ字状に作られている。このユニットホルダ３１は、金属製、例えば材料コストが安価な亜鉛めっき鋼板、或いは熱伝導性がよいアルミニューム又はその合金、その他の金属で作られている。
【００２６】
ユニットホルダ３１は、点灯ユニット２１を収容できる大きさであって、その側板部３３の高さＡは点灯ユニット２１の厚みより大きい。前記高さＡは、ケース筒１２の第１、第２の壁１２ａ、１２ｂの相対向する内面間の離間寸法Ｂより僅かに大きい。これら側板部３３の長手方向両端部には、長手方向両端に向かうに従い、側板部３３の高さを次第に低くする傾斜等のガイド３３ａ（図３及び図６参照）が夫々設けられている。
【００２７】
側板部３３の長手方向両端部には夫々係止爪３４が設けられている。図６において各係止爪３４のベース板部３２寄りの縁は、係止爪３４の根元から先端に向かうに従い上向きに僅かに傾斜されている。なお、図６および図７中符号３２ｂはユニットホルダ３１の長手方向一端に位置してベース板部３２から切起こしたストッパ凸部を示している。
【００２８】
このユニットホルダ３１に点灯ユニット２１が収容保持されて内蔵体２２が形成される。ユニットホルダ３１に収容された点灯ユニット２１は、その長手方向一端をストッパ凸部３５ｂに当てて位置決めされた状態で、４箇所の係止爪３４をユニットホルダ３１の内側に折り曲げること（切起こし）により、ユニットホルダ３１に対して動かないように保持される。
【００２９】
この場合、切起こされた各係止爪３４が図７に示すようにベース２６の折り曲げ片２６ａと交差して、この折り曲げ片２６ａが係止爪３４の傾斜した縁で押されるので、ベース２６の平板状部分がベース板部３２に強く押付けられ密に面接触される。この密接により、ベース２６とベース板部３２とは、熱伝導が良好に行われるように熱的に結合された状態に積層される。なお、ユニットホルダ３１に対する点灯ユニット２１の固定は、ねじなどの固定部品を用いる等、その他の固定手段で行うことも可能である。しかし、以上のように係止爪３４によって実施する場合には、固定部品を要しないので、部品点数を削減できコストダウンに寄与できる点で優れている。
【００３０】
内蔵体２２は、ケース筒１２内にその一端開口を通して挿入することによりケース筒１２に内蔵される。この場合、両側板部３３のガイド３３ａによってケース筒１２の端面にユニットホルダ３１の端部が引っ掛かることなく、容易に内蔵体２２を挿入できる。これとともに、ケース筒１２の前記寸法Ｂと側板部３３の高さＡとの関係により、両側板部３３の先端縁３３ｂが夫々第１の壁１２ａの内面を擦るとともに、ベース板部３２が第２の壁１２ｂの内面を擦りながら、所定位置まで軽圧入される。
【００３１】
このため、ケース筒１２内に挿入されたユニットホルダ３１の両側板部３３が、多少弾性変形した状態を保ってケース筒１２の第１、第２の壁１２ａ、１２ｂを突っ張る。これにより、ユニットホルダ３１の平らなベース板部３２が、ケース筒１２の第２の壁１２ｂに強く押付けられ密に面接触される。この密接により、ベース板部３２とケース筒１２の第２の壁１２ｂとは、熱伝導が良好に行われるように熱的に結合された状態に積層される。
【００３２】
以上のように点灯ユニット２１が収容保持されたユニットホルダ３１を、ケース筒１２内に挿入するという簡単な作業で、ケース筒１２の壁を貫通するねじやボルト等の固定部品を用いることなく、ケース筒１２内の所定位置にユニットホルダ３１を取付けることができる。なお、第２の壁１２ｂに代えて第１の壁１２ａが、点灯ユニット２１の器具本体２に接する取付け壁（伝熱壁）となる場合には、この第１の壁１２ａにベース板部３２を積層させて、ケース筒１２内に内蔵体２２を取付けることができる。
【００３３】
前記アース金具４１は、ケース筒１２内への内蔵体２２の挿入の際に、ケース筒１２の第３の壁１２ｃ又は第４の壁１２ｄと、これに対向する一方の側板部３３との間に挟み込まれる。アース金具４１は、ケース筒１２及びユニットホルダ３１と同じかそれより高い強度の金属ばね材により作られている。このアース金具４１は、図４及び図５に示すように略く字状に曲げられていて、一端に位置する第１爪４２と、中間の折り曲げ部に位置する第２爪４３とを有している。
【００３４】
アース金具４１は、そのばね性に抗してドライバーなどの工具を用いて、図４に例示するように第３の壁１２ｃと側板部３３との間に押込まれる。これにより、第１爪４２が第３の壁１２ｃを引掻くとともに、第２爪４３が側板部３３を引掻いて、アース金具４１が設置される。したがって、例えばケース筒１２がアルミ系材料であってその内面にもアルマイト層が設けられている場合や、ユニットホルダ３１の外面に塗膜が設けられていても、これらの電気絶縁層に拘らず、ケース筒１２とユニットホルダ３１とをアース接続のために、アース金具４１を介して電気的に確実に接続できる。
【００３５】
なお、アース金具４１は、図４に示した姿勢とは左右を１８０°反転した姿勢で、或いは上下を１８０°反転した姿勢でケース筒１２とユニットホルダ３１との間に挟設することもできる。
【００３６】
以上のようにケース筒１２に内蔵体２２とアース金具４１を内蔵した後には、ケース筒１２の長手方向両端に夫々パッキン１４を挟んでケース端板１３がねじ止めされる。これにより収容ケース１１が組立てられる。この組立てにより、ユニットホルダ３１の長手方向両端がいずれもパッキン１４に接触するので、両ケース端板１３により内蔵体２２の長手方向の動き止めがなされる。この組立てとともに、収容ケース１１を貫通する図示しない電線通し部に対する防水措置を施すことによって、防水構造の点灯装置５の組立てを完了できる。
【００３７】
組立完了後の点灯ユニット２１は、第２の壁１２ｂを取付け壁（伝熱壁）として、この壁１２ｂを器具本体２の内面に接触させて設置される。したがって、ランプ４の点灯中において、点灯ユニット２１で発生する熱は、このユニット２１のユニットケース２３のベース２６を通って、このベース２６に密接しているユニットホルダ３１のベース板部３２に伝導され、更に、ベース板部３２が密接している第２の壁１２ｂを通って、収容ケース１１の外部に放出される。
【００３８】
この熱放出は、収容ケース１１の外面から周囲空間に放出することと、第２の壁１２ｂが接している器具本体２に伝導されることとを含んでいる。こうした放熱によって、密閉された収容ケース１１に内蔵されている点灯ユニット２１の温度過昇を抑制できるので、このユニット２１のインバータ式点灯回路に機能不良を生じる恐れを抑制できる。
【００３９】
この場合、複数の係止爪３４の傾斜縁によりベース２６がベース板部３２に密接されていることとあいまって、一対の側板部３３の弾性変形によりベース板部３２が第２の壁１２ｂに密接されている。しかも、一対の側板部３３は、ベース板部３２の長手方向略全長にわたり、このベース板部３２の幅方向両側を押しているので、ベース板部３２の第２の壁１２ｂへの面密接の信頼性が高い。したがって、熱伝導させ易く、点灯ユニット２１の温度の過昇を抑制できる。
【００４０】
更に、前記構成の点灯装置５は、内蔵体２２の組立て、及びこの内蔵体２２を収容ケース１１のケース筒１２に固定するのに、ねじやボルト・ナットなどの固定部品を必要としないので、組立て易い。そして、内蔵体２２をケース筒１２に固定する固定部品を必要としないので、部品点数が削減されるとともに、力のいる面倒な締結作業を要しないので、コストダウンが可能である。それだけではなく、ケース筒１２を貫通する固定部品がないということは、防水構造の収容ケース１１の壁を貫通する浸水経路がないことを意味しているので、点灯装置５の防水性を向上できる。
【００４１】
なお、本発明は前記一実施形態には制約されない。点灯ユニットは、ランプを平常時点灯させるものであっても、停電などの非常時に点灯させるものであってもよい。又、点灯装置は、平常時点灯用の点灯ユニットと非常時点灯用の点灯ユニットとを、ともに係止爪等の固定手段により一つのユニットホルダに収容保持してなる内蔵体を備えたものとして構成することもできる。
【００４２】
【発明の効果】本発明によれば、ケース筒の壁を貫通するねじやボルト等の固定部品を用いることなく、点灯ユニットが収容ケースのケース筒内に取付けられているので、点灯ユニットを固定する構成が防水性に影響せず防水性が良好であるとともに、組立て性がよく、しかも、点灯ユニットの熱を外部に放出し易い点灯装置、及びこの点灯装置を備えた照明器具を提供できる。
【図面の簡単な説明】
【図１】本発明の一実施形態に係る照明器具を示す斜視図。
【図２】図１の照明器具が備える点灯装置の収容ケースをその一部が分解された状態で示す斜視図。
【図３】図１の照明器具が備える点灯装置を示す断面図。
【図４】図３の点灯装置が有するアース金具回りを示す断面図。
【図５】図４のアース金具を示す斜視図。
【図６】図３の点灯装置を分解して示す斜視図。
【図７】図２の点灯装置のユニットホルダに点灯ユニットを組込んだ状態を示す平面図。
【符号の説明】
１…照明器具、２…器具本体、３…ランプソケット、４…ランプ、５…点灯装置、１１…収容ケース、１２…ケース筒、１２ａ…ケース筒の第１の壁、１２ｂ…ケース筒の第２の壁、１３…ケース端板、１４…パッキン、２１…点灯ユニット、２２…内蔵体、２３…ユニットケース、２６…ユニットケースのベース、２７…ユニットケースのカバー、３１…ユニットホルダ、３２…ベース板部、３３…側板部、３３ｂ…側板部の先端縁、３４…係止爪、４１…アース金具、４２…第１爪、４３…第２爪
【図１】
2005004976.tif 000003
【図２】
2005004976.tif 000004
【図３】
2005004976.tif 000005
【図４】
2005004976.tif 000006
【図５】
2005004976.tif 000007
【図６】
2005004976.tif 000008
【図７】
2005004976.tif 000009